(57)【要約】  複数の実施形態によって、コンピュータにより実行される方法であって、ＡＰが、様々な情報をＳＤＭＡグループに属するＳＴＡから効率的にポーリングする方法が開示されている。各々のＳＴＡは、アップリンクＳＤＭＡメカニズムを用いて、アップリンクフレームを送信してもよい。
2013516142.tif 000002
【特許請求の範囲】
【請求項１】
コンピュータが実行する方法であって：
１つ以上のグループ識別子であって、前記グループ識別子の各々が、ワイヤレスデバイスの１つ以上のグループの１つ又は前記１つ以上のグループの１つから１つの前記ワイヤレスデバイスの何れかを識別するグループ識別子であって、前記１つ以上のグループ識別子は、グループポーリングフレーム内で特定の順序で配置されているグループ識別子を含む前記グループポーリングフレームを受信するステップと；
前記グループポーリングフレームに応答して、第１の肯定応答フレームを、前記１つ以上のグループ識別子の前記順序に基づいて決定されたタイミングで、送信するステップと；
を有する、コンピュータが実行する方法。
【請求項２】
前記１つ以上のグループは、少なくとも第１及び第２のワイヤレスデバイスを有する第１のグループを含み、
前記第１の肯定応答フレームは、前記第１のワイヤレスデバイスによって、前記第２のデバイスによって送信される第２の肯定応答フレームと、同時に送信される、
請求項１記載のコンピュータが実行する方法。
【請求項３】
前記第１及び第２の肯定応答フレームは、空間分割多重アクセス（ＳＤＭＡ）を用いて送信される、
請求項２記載のコンピュータが実行する方法。
【請求項４】
前記第１の肯定応答フレームの前記送信のタイミングは、前記第１の肯定応答フレームの長さに更に基づき決定される、
請求項１記載のコンピュータが実行する方法。
【請求項５】
前記第１の肯定応答フレームを送信する前記タイミングは、前記グループポーリングフレームと前記第１の肯定応答フレームとの間で定義された所定の時間間隔の長さに更に基づき決定される、
請求項１記載のコンピュータが実行する方法。
【請求項６】
前記第１の肯定応答フレームは、バッファリングされたトラフィックの第１のセットに関連する送信権要求を含む、
請求項２記載のコンピュータが実行する方法。
【請求項７】
前記第１の肯定応答フレームは、バッファリングされたトラフィックの第１のセットのキューサイズを含む、
請求項２記載のコンピュータが実行する方法。
【請求項８】
前記第１のグループに属する前記ワイヤレスデバイスの各々に付与された送信期間を示す特定の送信権を含むポーリングフレームを受信するステップであって、前記前記送信期間は、前記送信権要求に基づき決定される、ステップ、
を更に含む、請求項６記載のコンピュータが実行する方法。
【請求項９】
前記第１のワイヤレスデバイスによって、バッファリングされたトラフィックの前記第１のセットを、前記送信期間の間に、送信するステップ、
を更に含む、請求項８記載のコンピュータが実行する方法。
【請求項１０】
バッファリングされたトラフィックの前記第１のセットは、前記第２のワイヤレスデバイスによって送信されたバッファリングされたデータの第２のセットと同時に送信される、
請求項９記載のコンピュータが実行する方法。
【請求項１１】
バッファリングされたトラフィックの前記第１及び第２のセットは、空間分割多重アクセス（ＳＤＭＡ）を用いて送信される、
請求項１０記載のコンピュータが実行する方法。
【請求項１２】
コンピュータが実行する方法であって：
第１のグループに属するワイヤレスデバイスの各々に付与された送信権を含むポーリングフレームを受信するステップと；
前記送信権に基づき決定された期間の間に、第１の肯定応答フレームを送信するステップと；
を有する、コンピュータが実行する方法。
【請求項１３】
前記第１のグループは、少なくとも第１及び第２のワイヤレスデバイスを含み；かつ、
前記第１の肯定応答フレームは、前記第１のワイヤレスデバイスによって、前記第２のデバイスによって送信される第２の肯定応答フレームと、同時に送信される、
請求項１２記載のコンピュータが実行する方法。
【請求項１４】
前記第１及び第２の肯定応答フレームは、空間分割多重アクセス（ＳＤＭＡ）を用いて送信される、
請求項１３記載のコンピュータが実行する方法。
【請求項１５】
コンピュータが実行する方法であって：
ワイヤレスデバイスのグループに、前記グループに属する前記ワイヤレスデバイスの各々に付与された送信権を含むポーリングフレームを送信するステップと；
少なくとも前記グループに属する少なくとも１つの前記ワイヤレスデバイスから空間分割多重アクセス（ＳＤＭＡ）を用いて送信されたフレームを受信するステップと；
を有する、コンピュータが実行する方法。
【請求項１６】
前記送信権は、前記ワイヤレスデバイスが、バッファリングされたトラフィックを送信することを許された間の期間を定義する、
請求項１５記載のコンピュータが実行する方法。
【請求項１７】
前記グループに属する複数のワイヤレスデバイスから複数のフレームを受信し、
当該方法は、
最長のバッファリングされたトラフィックの前記受信に応答して、ワイヤレスデバイスの前記グループに肯定応答フレームを送信するステップ、
を更に有する請求項１６記載のコンピュータが実行する方法。
【請求項１８】
前記肯定応答フレームは、ダウンリンクＳＤＭＡ又はダウンリンクＯＦＤＭＡを用いて送信される、
請求項１７記載のコンピュータが実行する方法。
【発明の詳細な説明】
【技術分野】
【０００１】
本開示は、一般に、ワイヤレス通信の分野に関する。より詳細には、ネットワークを使用したアップリンク空間分割多重アクセス（ＳＤＭＡ：Ｓｐａｔｉａｌ  Ｄｉｖｉｓｉｏｎ  Ｍｕｌｔｉｐｌｅ  Ａｃｃｅｓｓ）の通信管理に関する。
【背景技術】
【０００２】
アップリンクＳＤＭＡ（ＵＬ  ＳＤＭＡ）は、複数の移動局（ＳＴＡ）が同じ伝送時間及び周波数を共有する複数のアンテナ素子を有するアクセスポイント（ＡＰ）と通信することを可能とする無線通信方式において使用される高度な信号伝送技術である。ＡＰは、複数の空間的に別々のアンテナ素子を介して、同時に複数のＳＴＡから伝送される結合信号を受信し、かつ適切な信号処理によって、各々のＳＴＡからの受信信号を独立の信号に分離するように構成される。また、ＡＰは、干渉を抑制し、かつ信号対雑音比を上げるために、意図されたＳＴＡの方向へ複数の空間的に別々のアンテナ素子を介して方向無線信号（ｄｉｒｅｃｔｉｏｎａｌ  ｒａｄｉｏ  ｓｉｇｎａｌ）を伝送してもよい。
【発明の概要】
【発明が解決しようとする課題】
【０００３】
ＵＬ  ＳＤＭＡを使用する標準化された技術のうちの１つは、ワイヤレス・メトロポリタン・エリア・ネットワーク（ＷｉＭＡＸ）のためのＩＥＥＥ  ８０２．１６である。ＷｉＭＡＸ通信ネットワークにおいて、ＡＰは、ＳＤＭＡグループを形成するために幾つかのＳＴＡを結合する。同じグループに属するＳＴＡは、ＵＬ  ＳＤＭＡメカニズムを使用して同じ時間に同じ周波数帯で信号を伝送してもよい。これに対して、既存のシステムでは、ＴＤＭＡ  ＭＡＣに基づいてポーリング手順を使用する。これは、非効率的なポーリング手順に結果としてなる。
【課題を解決するための手段】
【０００４】
実施形態によれば、コンピュータが実行する方法であって：１つ以上のグループ識別子であって、前記グループ識別子の各々が、ワイヤレスデバイスの１つ以上のグループの１つ又は前記１つ以上のグループの１つから１つの前記ワイヤレスデバイスの何れかを識別するグループ識別子であって、前記１つ以上のグループ識別子は、グループポーリングフレーム内で特定の順序で配置されているグループ識別子を含む前記グループポーリングフレームを受信するステップと；前記グループポーリングフレームに応答して、第１の肯定応答フレームを、前記１つ以上のグループ識別子の前記順序に基づいて決定されたタイミングで、送信するステップと；を有する、コンピュータが実行する方法が提供される。
【図面の簡単な説明】
【０００５】
【図１】本開示のさまざまな態様に従うネットワークアーキテクチャの例を示す図である。
【図２】実施例に従ったＳＴＡを例示するブロック図である。
【図３】バッファリングされたトラフィック状況を要求するように、ＳＴＡをポーリングする実施例の手順のタイミングチャートを示す図である。
【図４】バッファリングされたＣＦ−ＡＣＫを要求するように、ＳＴＡをポーリングする実施例の手順のタイミングチャートを示す図である。
【図５】本開示のさまざまな態様に従って、アップリンク・データ転送のためにＳＴＡをポーリングする実施例の手順を例示しているタイミングチャートである。
【発明を実施するための形態】
【０００６】
定義
アクセスポイント（ＡＰ）：ステーション（ＳＴＡ）機能を有し、かつワイヤレスメディア（ＷＭ）を介して関連づけられたＳＴＡに対して、配信サービスへのアクセスを提供するあらゆるエンティティ。
【０００７】
モバイル局（ＭＳ）：移動している際に、ネットワーク通信を使用するタイプのＳＴＡ。
【０００８】
ステーション（ＳＴＡ）：ワイヤレスメディア（ＷＭ）にＩＥＥＥ  ８０２．１１に準拠した媒体アクセス制御（ＭＡＣ）及び物理レイヤ（ＰＨＹ）インターフェースを含むあらゆるデバイス。
【０００９】
フレーム：ステーション間のデータ転送のための基本単位。なお、「フレーム」は、「パケット」の用語でも使用される。
【００１０】
ワイヤレスメディア（ＷＭ）：ワイヤレス・ローカル・エリア・ネットワーク（ＬＡＮ）のピア物理レイヤ（ＰＨＹ）エンティティ間のプロトコルデータユニット（ＰＤＵ）の転送をインプリメントするめのメディア。
【００１１】
フレーム間スペース（ＩＦＳ）：ＩＥＥＥ  ８０２．１１−２００７仕様において定められるフレーム間の予め定められた時間間隔。この場合、ＩＥＥＥ  ８０２．１１において、５つの異なるＩＦＳが、ワイヤレス媒体へのアクセスを提供するために、優先レベル（ｐｒｉｏｒｉｔｙ  ｌｅｖｅｌ）が定められる。
【００１２】
アップリンク空間分割マルチプルアクセス（ＵＬ  ＳＤＭＡ）：複数のＳＴＡが同じ周波数帯及び同じ伝送時間を使用して信号を伝送することができるアップリンクマルチプルアクセスメカニズム。これに対して、ＡＰは、複数のＳＴＡからの混合した信号を、複数の空間的に隔たったアンテナを介して受信する。受信された混合された信号は、適切な処理によるＡＰで分離される。
【実施例】
【００１３】
本明細書に開示された実施形態は、コンピュータにより実行される方法であって、ＡＰは、ＳＴＡから様々な情報を効率的にポーリングすることができる。これらのＳＴＡの各々は、ＳＤＭＡグループに属し、アップリンクＳＤＭＡメカニズムを使用して様々なタイプのＭＡＣフレームを伝送することができる。
【００１４】
この実施例に従って、本開示のコンピュータにより実行される方法は、グループポーリングフレームを伝送するために利用される。このグループポーリングフレームは、ＳＤＭＡグループ又は、ＳＤＭＡグループに属するワイヤレスデバイスの何れかを識別する１つ以上の識別子を含む。グループポーリングフレームは、ＳＤＭＡグループの全てに一度に送信されてもよく、或いは順次各々のＳＤＭＡに送信されてもよい。グループ識別子は、特定の順序によってポーリングフレームに含まれる。各々のＳＴＡは、このグループポーリングフレームの受信が成功したことを示すために、このグループ識別子の順序に従って決定されるタイミングで、肯定応答（ａｃｋｎｏｗｌｅｄｇｅｍｅｎｔ）フレームを送信してもよい。この肯定応答フレームが送信されるタイミングは、更に、この肯定応答フレームの長さ、及び／又は、グループポーリングフレームと肯定応答フレームとの間として定義される所定のインターバル期間の長さに基づく。
【００１５】
各種実施形態によれば、バッファリングされたトラフィックを有する各々のＳＴＡは、バッファリングされたトラフィック状況（例えば送信権（ｔｒａｎｓｍｉｓｓｉｏｎ  ｒｉｇｈｔ）のための要求および／または肯定応答フレームのバッファリングされたトラフィックのキューサイズ）を含んでもよい。特定のＳＤＭＡグループに属している各々のＳＴＡは、例えば、アップリンクＳＤＭＡメカニズムを使用して、同じＳＤＭＡグループに属している他のＳＴＡと共に、肯定応答フレームを同時に伝送してもよい。肯定応答フレームに応答して、ＡＰは、要求元ＳＴＡが帰属する要求元ＳＴＡ、又は、グループに送信権を付与してもよい。要求元ＳＴＡは、第１のグループに属している各々のワイヤレスデバイスに付与された特定の送信権を含むポーリングフレームを受信する。送信権は、ＴＸＯＰ限界値を含んでもよい。同じＴＸＯＰ制限が、同じＳＤＭＡグループに属している各々のＳＴＡに割り当てられてもよい。要求元ＳＴＡは、ＴＸＯＰ限界値に基づいて決定される期間の間に、バッファリングされたトラフィックを伝送してもよい。このバッファリングされたデータは、例えば、ＳＤＭＡメカニズムを使用している同じＳＤＭＡグループに属している他のＳＴＡから伝送される他のバッファリングされたデータと同時に伝送されてもよい。
【００１６】
各種実施形態に従って、本開示のコンピュータ実行方法は、ＡＰからＳＤＭＡグループに属する１つ以上のＳＴＡに送信権を含むポーリングフレームを送信するために利用される。ＳＴＡは、送信権に基づいて決定される期間の間に、肯定応答フレームを伝送してもよい。ＳＴＡは、例えば、ＳＤＭＡメカニズムを使用して、同じＳＤＭＡグループに属している他のＳＴＡと同時に、肯定応答フレームを伝送してもよい。
【００１７】
各種実施形態によって、本開示のコンピュータ実行方法は、また、ＡＰからＳＴＡのグループに対して、そのグループに属するワイヤレスデバイスの各々に与えられた送信権を含むポーリングフレームを送信するために用いられてもよい。このＡＰは、例えば、ＳＤＭＡメカニズムを利用して、グループに属する少なくとも１つのワイヤレスデバイスから同時に送信されバッファリングされたトラフィックの複数のセットを受信してもよい。ＡＰは、ダウンリンクＳＤＭＡ、又は、ダウンリンクＯＦＤＭＡを使用して、送信されバッファリングされたデータの受信が成功したことを示すために、ＳＴＡに肯定応答フレームを伝送してもよい。
【００１８】
したがって、ＡＰは、各々効果的にＳＤＭＡグループに属する関連づけられたＳＴＡをポーリングしてもよい。このポーリングは、バッファリングされたトラフィック状態を要求するように、又は、関連するＳＴＡからのＣＦ−ＡＣＫを要求するように、実行される。ポーリングは、また、バッファリングされたデータのアップリンク伝送のために行われてもよい。
【００１９】
図１は、本開示のさまざまな態様に従うシステム１００の例示的アーキテクチュアを示す。システム１００は、複数の空間的に分離されたアンテナ素子１０４ａ−１０４ｃを介して関連づけられたＳＴＡ１０６ａ、１０６ｂ、１０６ｃ及び１０６ｄ（以下に「ＳＴＡ１０６」と言う。）とワイヤレスで通信するように構成されるＡＰ１０２を含んでもよい。この例では、我々はＳＴＡ１０６ａ及び１０６ｂはＳＤＭＡ  Ｇｒｏｕｐ１に帰属し、かつ、ＳＴＡ１０６ｃ及び１０６ｄは、ＳＤＭＡ  Ｇｒｏｕｐ２に帰属するとする。ＳＴＡ１０６ａ及び１０６ｂは、同時に同じ周波数帯、同じ伝送時間を使用して、かつ例えば、ＵＬ  ＳＤＭＡメカニズムを使用して、ワイヤレス信号をＡＰ１０２伝送してもよい。同様に、ＳＴＡ１０６ｃ及び１０６ｄは、同時にＡＰ１０２にワイヤレス信号を伝送してもよい。ＡＰ１０２は、アンテナ素子１０４ａ−１０４ｃを介して同時にＳＴＡから伝送される信号を受信してもよく、かつ受信信号を各々のＳＴＡからの伝送信号に各々対応する複数の個々の信号に分けてもよい。ＡＰ１０２は、ＳＡＰ１０２とＳＴＡ１０６と間のフレーム伝送のためのスケジュールを調整するために使用され得るさまざまなタイプのフレームによって、ＴＡ１０６と通信してもよい。ＡＰ１０２は、ＩＥＥＥ  ８０２．１１標準、又は、ＵＬ  ＳＤＭＡを使用し得る他の標準のＡｃｃｅｓｓ  Ｐｏｉｎｔ（ＡＰ）として構成されてもよい。２つのＳＤＭＡの各々が２つのＳＴＡを含む例が図１に示されているが、システムは２つよりも多いＳＤＭＡグループを含んでもよい。或いは各々のＳＭＤＡグループは２つ以上のＳＴＡを含んでもよい。１つのＳＤＭＡグループに含まれるＳＴＡの数は、ＡＰ１０２のアンテナ素子の数によって制限される。
【００２０】
図２は、本開示のさまざまな態様に従った、実施例ＳＴＡ１０６を例示するブロック図である。ＳＴＡ１０６は、その中に、トランシーバ２０２、肯定応答フレーム生成モジュール２０４及びバッファリングされたデータ管理モジュール２０６を含んでもよい。トランシーバ２０２は、ワイヤレスメディアを介してＡＰ１０２からさまざまな信号を送受信する。例えば、トランシーバ２０２はＡＰ１０２からのグループポーリング及びポーリングフレームを含むさまざまな通信を受信してもよい。ＡＰ１０２にＣＦ−ＡＣＫ、及びＡ−ＭＰＤＵ＋ＣＦ−ＡＣＫフレームを含む様々な通信を送信する。グループポーリングフレームは、ブロードキャスト・アドレス、又はマルチキャストアドレスを用いて伝送されてもよい。グループポーリングフレームは、１つ以上のクループ識別子を含んでもよく、グループ識別子の各々は、ＳＤＭＡ通信を形成するためのＳＤＭＡグループの１つを特定してもよい。加えて、又はこれに代えて、このグループポーリングフレームは、ＳＴＡアソシエーション識別子（ＡＩＤ：Ａｓｓｏｃｉａｔｉｏｎ  ｉｄｅｎｔｉｆｉｅｒｓ）を含んでもよく、これらの各々は、ＳＴＡグループの１つに属している１つのＳＴＡを特定してもよい。グループポーリングフレームにおいて、グループ識別子は、特定の順番にアレンジされてもよい。グループ識別子の順番によって、ＣＦ−ＡＣＫフレームを送信することを許された各グループ識別子により特定されたＳＴＡの各々が、順番を特定される。グループ識別子の順番に基づいて、肯定応答フレーム生成モジュール２０４は、ＳＴＡ１０６がＡＰ１０２にＣＦ−ＡＣＫフレームをいつ伝送してもよいかのタイミングを決定してもよい。ＳＴＡ１０６は、他のＳＴＡに送信されるトラフィックをバッファリングしてもよく、そして、ＣＦ−ＡＣＫフレームは、バッファリングされたトラフィック状態に関する情報、例えばＴＸＯＰ持続時間要求、及び／又は、そのバッファリングされたトラフィックのキューサイズ、の情報を含んでもよい。このグループポーリングフレームは、以下、ＣＦ−Ｇｒｏｕｐ  Ｐｏｌｌフレームと言う。
【００２１】
各種実施形態によれば、各々のＳＴＡ１０６からのＣＦ−ＡＣＫフレームの受信によって、ＡＰ１０２は、各々の要求元ＳＴＡに割り当てられるＴＸＯＰ持続時間を決定するために、取得されたＴＸＯＰ持続時間要求および／またはキューサイズを使用してもよい。同じＴＸＯＰ持続時間は、同じＳＤＭＡグループに属している各々のＳＴＡに割り当てられてもよい。この例では、特定のＴＸＯＰ持続時間は、ＳＴＡ１０６ａ及び１０６ｂに共通に割り当てられてもよい。そして、異なる特定のＴＸＯＰ持続時間は、ＳＴＡ１０６ｃ及び１０６ｄに共通に割り当てられてもよい。一旦決定されると、ＡＰ１０２はＳＴＡ１０６に割り当てられたＴＸＯＰ持続時間を特定するＣＦ−Ｐｏｌｌフレームを伝送してもよい。ＣＦ−Ｐｏｌｌフレームは、同じＳＤＭＡグループに属している各々のＳＴＡ１０６に対して、マルチキャストされてもよい。各種実施形態によれば、バッファリングされたデータ管理モジュール２０６は、トランシーバ２０２と連動して、割り当てられたＴＸＯＰ持続時間によって示される制限時間の間、待ち行列からＴＸＯＰ持続時間要求、又はキューサイズに関連づけられたバッファリングされたトラフィックを伝送するように構成されてもよい。
【００２２】
図３は、本開示のさまざまな態様に従って、バッファリングされたトラフィック状況を、ポーリングＳＴＡが、要求する例示的手順を示すタイミングチャートである。図６の（及び他の図面における）フローチャートに示されるさまざまな処理操作は、より詳細にここで説明する。フローチャートに示された処理は、既に詳述した本システムの要素の一部又は全部を利用して実行される。そして、ある実施形態においては、異なる順序で様々な処理が実行されてもよい。その他の実施例では、付加的なオペレーションが、示されたフローチャートにおけるオペレーションの一部、又は全てとともに実行されてもよい。また、他の実施例において、一つ以上のオペレーションが同時に実行されてもよい。したがって、これらのオペレーションは、（そして、以下に更に詳細に説明され）例示的なものであって、制限を加えるためのものではない。
【００２３】
図３に示す処理は、ＨＣＣＡ（ｈｙｂｒｉｄ  ｃｏｏｒｄｉｎａｔｉｏｎ  ｆｕｎｃｔｉｏｎ  ｃｏｎｔｒｏｌｌｅｄ  ｃｈａｎｎｅｌ  ａｃｃｅｓｓ）において規定されるフレーム構造の幾つかを利用する。ＨＣＣＡプロトコルは、ＩＥＥＥ  ８０２．１１において定義されているように、ハイブリッド・コーディネータ（ＨＣ）によって利用されるチャネルアクセス・メカニズムである。これは、ダウンリンクユニキャスト、アップリンク、及びダイレクトリンク送信のためのＱｏｓ  ＳＴＡにより利用される競合無し（ｃｏｎｔｅｎｔｉｏｎ−ｆｒｅｅ）メディアの調整をするためのものである。しかしながら、ＩＥＥＥ  ８０２．１１は、ＳＤＭＡの利用をサポートしない。図３の処理は、ＨＣＣＡに基づき、ＳＤＭＡをサポートする実施形態を示している。以下の説明では、ＨＣＣＡにおいて定義されている幾つかのフレームフォーマットを用いているが、実施形態の開示は、ＨＣＣＡベースの競合無し調整に限定されるものではない点に留意すべきである。むしろ、本開示の方法は、メディア利用を調整するためにポーリングメカニズムを利用し得るいかなる種類のプロトコルに対して適用されてもよい。
【００２４】
まず始めに、ＣＦ−Ｇｒｏｕｐ  Ｐｏｌｌフレームが、ＡＰ１０２からＳＴＡ１０６ａ、１０６ｂ、１０６ｃ及び１０６ｄに伝送される。既に説明したように、ＣＦ−Ｇｒｏｕｐ  Ｐｏｌｌフレームは、ＳＤＭＡグループ、又はＳＴＡのうちの１つを特定する一つ以上のグループ識別子を含んでもよい。ＣＦ−Ｇｒｏｕｐ  Ｐｏｌｌフレームは、全てのＳＤＭＡグループから一度ポーリングするために送られてもよく、又は各々のＳＤＭＡグループから一度、ポーリングするために送られてもよい。この例では、ＣＦ−Ｇｒｏｕｐ  Ｐｏｌｌフレームは、２つのグループ識別子を含み、これらの各々は、ＳＤＭＡ  Ｇｒｏｕｐ１及ＳＤＭＡ  Ｇｒｏｕｐ２を、この順番で特定する。ＳＴＡ１０６ａ及び１０６ｂが正しくＣＦ−Ｇｒｏｕｐ  Ｐｏｌｌフレームを受信した場合、ＳＴＡ１０６ａ及び１０６ｂは、ＣＦ−Ｇｒｏｕｐ  Ｐｏｌｌフレームを受信して、ＳＩＦＳだけ後に、ＡＰ１０２にＣＦ−ＡＣＫフレームを伝送することを始めてもよい。なぜなら、ＳＤＭＡ  Ｇｒｏｕｐ１のグループ識別子は、ＣＦ−Ｇｒｏｕｐ  Ｐｏｌｌフレームの第１のグループとしてアレンジされているからである。ＳＴＡ１０６ａ及び１０６ｂは、他のＳＴＡに伝送されるバッファリングされたトラフィックを有してもよい。バッファリングされたトラフィックの状態は、ＣＦ−ＡＣＫフレームのＭＡＣヘッダのＱｏＳ制御フィールドに埋め込まれてもよい。上記したように、バッファリングされたトラフィックの状態は、バッファリングされたトラフィックのＴＸＯＰ持続時間要求および／またはキューサイズを含んでもよい。ＣＦ−ＡＣＫフレームは、予め定められたロバストなデータ信号速度で伝送される。ＣＦ−ＡＣＫフレームは、ＥＤＣＡ（Ｅｎｈａｎｃｅｄ  Ｄｉｓｔｒｉｂｕｔｅｄ  Ｃｈａｎｎｅｌ  Ａｃｃｅｓｓ）を使用して、又は同時にＵＬ  ＳＤＭＡを使用して順次伝送されてもよい。これは予め定められたロバストなデータ信号速度でなされる。
【００２５】
ＳＴＡ１０６ａ及び１０６ｂの上記のＣＦ−ＡＣＫ伝送手順と並行して、ＳＤＭＡ  Ｇｒｏｕｐ２からのＳＴＡ１０６ｃ及び１０６ｄは、それらがＳＩＦＳ＊３＋Ｔｘ＿Ｔｉｍｅ（ＣＦ−ＡＣＫ）＋Ｔｘ＿Ｔｉｍｅ（ＡＣＫ）として算出される特定の持続時間だけ待たなければならないと決定する。ＳＴＡ１０６ｃ及び１０６ｄは、それらがＣＦ−ＡＣＫを伝送するために可能なタイミングを予測してもよい点に留意する必要がある。その理由は、各々のＣＦ−ＡＣＫフレームは固定長フレームであり、かつ予め定められたデータレートで送信されるからである。ＣＦ−Ｇｒｏｕｐ  ＰｏｌｌフレームのＳＤＭＡグループのシーケンスの第３のグループとして準備されるＳＤＭＡ  Ｇｒｏｕｐ３がある場合、ＳＤＭＡ  Ｇｒｏｕｐ３のＳＴＡは、ＳＩＦＳ＊５＋Ｔｘ＿Ｔｉｍｅ（ＣＦ−ＡＣＫ）＊２＋Ｔｘ＿Ｔｉｍｅ（ＡＣＫ）＊２として算出される持続時間だけ待つこととなる。
【００２６】
ＣＦ−ＡＣＫに応答してフレームＳＴＡ１０６ａ及び１０６ｂから、ＡＰ１０２は、ＣＦ−ＡＣＫを受信してＳＩＦＳだけ後に、ＡＣＫフレームをＳＴＡ１０６ａ及び１０６ｂに伝送することを始めてもよい。ＡＣＫフレームのＲＡフィールドは、ＳＤＭＡ  Ｇｒｏｕｐ１に対応するマルチキャストアドレスにセットされてもよい。また、ＡＣＫフレームは、ＳＴＡ１０６ａ及び１０６ｂにダウンリンクを利用してＳＤＭＡに伝送されてもよい。このようにして、ＳＤＭＡ  Ｇｒｏｕｐ１のためのポーリング手順が完了する。その後、上述の式に基づいて決定される持続時間が経過したため、ＳＴＡ１０６ｃ及び１０６ｄは、ＡＰ１０２にそれらのＣＦ−ＡＣＫフレームを伝送することを始めてもよい。ＣＦ−ＡＣＫフレームに応答して、ＡＰ１０２は、ＣＦ−ＡＣＫの受信のＳＩＦＳだけ後に、ＳＴＡ１０６ｃ及び１０６ｄ  にＡＣＫフレームを伝送してもよい。したがって、ＡＰ１０２は、さまざまな情報（例えば、効率的な方法で、複数のＳＤＭＡグループの各々に関連づけられたＳＴＡからのＴＸＯＰ持続時間要求、又はキューサイズ）を取得してもよい。
【００２７】
その後、ＡＰ１０２は、受信されたＴＸＯＰ持続時間要求および／またはキューサイズに基づいて各々のＳＤＭＡグループに割り当てられるＴＸＯＰ持続時間を決定してもよい。例えば、ＡＰ１０２は、ＳＴＡ１０６ａ及び１０６ｂにＳＤＭＡ  Ｇｒｏｕｐ１に割り当てられたＴＸＯＰ持続時間を特定するＣＦ−Ｐｏｌｌフレームを伝送してもよい。ＳＴＡ１０６ａ及び１０６ｂは、ＵＬ  ＳＤＭＡを使用して、同時に、それぞれのバッファリングされたトラフィックを相互に伝送してもよい。ＳＴＡ１０６ａ及び１０６ｂの各々は、受信されたＴＸＯＰ持続時間によって示される制限時間の範囲内で伝送を完了することを必要とする。
【００２８】
図４は、各種実施形態に従ってＣＦ−ＡＣＫを求めるために、ＳＴＡをポーリングするための例示的手順を示すタイミングチャートである。図３にて示したように、ＡＰ１０２は、ＳＤＭＡ  Ｇｒｏｕｐ１を特定するマルチキャストアドレスとしたＣＦ−Ｐｏｌｌフレームを伝送してもよい。各種実施形態に従うポーリング手順は、ポーリングフレームとしていかなるタイプを用いて達成されてもよい点に留意する必要がある。ＣＦ−Ｐｏｌｌフレームを受信すると、ＳＤＭＡ  Ｇｒｏｕｐ１のＳＴＡ１０６ａ及び１０６ｂは、ＣＦ−ＡＣＫフレームを返信する。ＣＦ−ＡＣＫフレームは、シーケンシャルに送られてもよく、又はアップリンクＳＤＭＡを使用して伝送されてもよい。ＣＦ−ＡＣＫフレームを受信すると、ＡＰ１０２は、ＡＣＫフレームを返信する。同じＴＸＯＰにおいて、ＡＰ１０２は、ＳＤＭＡ  Ｇｒｏｕｐ２を特定する他のマルチキャストアドレスで他のＣＦ−Ｐｏｌｌフレームを伝送してもよい。ＳＤＭＡ  Ｇｒｏｕｐ１によって実行された手順と同様に、ＣＦ−Ｐｏｌｌフレームに応答して、ＳＴＡ１０６ｃ及び１０６ｄは、ＡＰ１０２にＣＦ−ＡＣＫフレームを伝送してもよい。したがって、ＡＰ１０２は、複数のＳＤＭＡグループの各々のＳＴＡ１０６ａ−１０６ｄから、ＣＦ−ＡＣＫフレームを要求してもよい。
【００２９】
図５は、本開示のさまざまな態様に従って、アップリンク・データ転送に対してＳＴＡをポーリングするための手順を例示するタイミングチャートである。本実施例において、ＡＰ１０２は、ＳＤＭＡ  Ｇｒｏｕｐ１を特定するマルチキャストアドレスを有するＣＦ−Ｐｏｌｌフレームを伝送してもよい。ＣＦ−Ｐｏｌｌフレームは、ＴＸＯＰ  ＬｉｍｉｔフィールドにＳＤＭＡ  Ｇｒｏｕｐ１に与えられたＴＸＯＰ持続時間を含んでもよい。したがって、ＴＸＯＰ持続時間は、同じＳＤＭＡ  Ｇｒｏｕｐ１に帰属しているＳＴＡ１０６ａ及び１０６ｂに共通に付与されてもよい。ＣＦ−Ｐｏｌｌフレームに応答して、ＳＴＡ１０６ａ及び１０６ｂは、与えられたＴＸＯＰ持続時間によって示される期間以内に、ＵＬ  ＳＤＭＡを使用して、同時に、Ａ−ＭＰＤＵ＋ＣＦ−ＡＣＫフレームを相互に伝送してもよい。ＳＴＡ１０６ａ及び１０６ｂの両方とも、受信されたＴＸＯＰ持続時間によって示される持続時間の間にＡ−ＭＰＤＵ＋ＣＦ−ＡＣＫフレームを伝送することを必要とする。ＳＴＡ１０６ａ及び１０６ｂからの最終的な（最も長い）アップリンク伝送の受信の後、ＡＰ１０２は、Ａ−ＭＰＤＵ＋ＣＦ−ＡＣＫフレームの伝送が成功したことを示すために、Ｂｌｏｃｋ確認応答（ＢＡ）を返信してもよい。このＢＡフレームは、シーケンシャルに、又は同時に伝送されてもよい。これはＢＡフレームを空間的に切り離すことによって、或いは、又はＤＬ  ＯＦＤＭＡ伝送を使用して、ＢＡフレームを周波数的に切り離すことによって、ＤＬ  ＭＵ−ＭＩＭＯ伝送によってなされてもよい。その後、ＡＰ１０２は、マルチキャストアドレスを使用してＳＤＭＡ  Ｇｒｏｕｐ２のＳＴＡ１０６ｃ及び１０６ｄに他のＣＦ−Ｐｏｌｌフレームを伝送してもよい。ＳＤＭＡ  Ｇｒｏｕｐ１と同様に、ＳＴＡ１０６ｃ及び１０６ｄは、ＵＬ  ＳＤＭＡを使用して、同時に、Ａ−ＭＰＤＵ＋ＣＦ−ＡＣＫフレームを相互に伝送してもよい。したがって、ＡＰ１０２は、それらのアップリンク伝送で複数のＳＤＭＡグループから、関連づけられたＳＴＡを効率的にポーリングしてもよい。
【００３０】
加えて、本開示の各種実施形態は、それについてハードウェア、ファームウェア、ソフトウェア、又はいかなる適切な組合せにおいて作られてもよい。また、本開示の態様は、命令が機械で読み取ることができる媒体に記憶され、実行されてもよい。そして、これは読み込まれ、かつ、一つ以上のプロセッサによって実行されてもよい。機械で読み取ることができる媒体は、機械（例えばコンピューティング装置）によって読み込み可能な形式の情報を記憶して、又は伝送するためのいかなるメカニズムを含んでもよい。例えば、機械で読み取ることができる記憶媒体は、読取り専用メモリ、ランダムアクセスメモリ、磁気ディスク記憶装置メディア、光記憶媒体、フラッシュ・メモリデバイス、その他を含んでもよい。更に、ファームウェア、ソフトウェア、ルーチン、又は命令は、特定の動作を実行する特定の例示的実施形態に関して、本願明細書において開示され得る。しかしながら、この種の説明は、単に便宜だけのためのものであり、かつこの種の動作が、ファームウェア、ソフトウェア、ルーチン、又は命令を実行するコンピューティング装置、プロセッサ、コントローラ、又は他のデバイスによることは明らかである。
【００３１】
特定の特徴、構造、又は特徴を含むように、本願明細書において各種実施形態が記載されている。しかし、すべての態様、又は実施例が特定の特徴、構造、又は特長を必ずしも含んでいるわけではない。更に、特定の特徴、構造、又は特長が実施例に対応して記載される場合、明確に記載されているのであるにせよ、この種の特徴、構造、又は特徴が他の実施例に対応して含まれてもよいことが理解されなければならない。したがって、さまざまな変更及び改変は、技術的範囲、又は本願明細書において記載されている発明のコンセプトの精神から逸脱することなく、本開示になされてもよい。このように、明細書および図面は、単に例を示すものと考えられなければならない。発明のコンセプトの範囲は、添付の請求の範囲だけによって決定される。
【図１】
2013516142.tif 000003
【図２】
2013516142.tif 000004
【図３】
2013516142.tif 000005
【図４】
2013516142.tif 000006
【図５】
2013516142.tif 000007
【国際調査報告】
2013516142.tif 000008
2013516142.tif 000009
2013516142.tif 000010
2013516142.tif 000011